(57)【特許請求の範囲】
【請求項１】
建物の外周に沿って配された鉄骨造の外周架構を有する建物であって、
該外周架構は複数のフィーレンデール形式の鋼製枠部材を有し、前記複数の鋼製枠部材は前記外周に沿って並んでおり、前記複数の鋼製枠部材は連結されており、
前記外周架構によって内方に区画された内部空間を横断して設けられた鋼製の梁部材であって、前記複数の鋼製枠部材のうちで、前記内部空間を隔てて互いに対向する鋼製枠部材同士に架け渡された前記梁部材を複数有し、
前記梁部材は、梁端にて、対応する前記鋼製枠部材にピン接合されており、
前記梁部材の上面は、前記鋼製枠部材の梁材の上面と高さ方向において揃っており、
前記梁部材の梁せいは、前記梁材の梁せいよりも大きく、
前記梁部材の梁せいは、前記梁端において縮小され、前記梁材の梁せいと揃っていることを特徴とする建物。
【請求項２】
請求項１に記載の建物であって、
前記鋼製枠部材は、一対の柱材と、前記一対の柱材同士を繋ぐ梁材と、を有し、
前記柱材の断面形状は、強軸方向と、該強軸方向に直交する方向であって前記強軸方向よりも断面二次モーメントが小さい弱軸方向と、を有し、
前記柱材の強軸方向は、前記外周に沿っていることを特徴とする建物。
【請求項３】
請求項１又は２に記載の建物であって、
前記鋼製枠部材は、一対の柱材と、前記一対の柱材同士を繋ぐ複数の梁材と、を有し、
前記鋼製枠部材の前記梁材の断面形状は、強軸方向と、該強軸方向に直交する方向であって前記強軸方向よりも断面二次モーメントが小さい弱軸方向とを有し、
前記梁材の強軸方向は、鉛直方向を向いており、
前記梁材は、前記一対の柱材の間の空間を複数の開口部に区分するように、鉛直方向に間欠的に並んで配置されていることを特徴とする建物。
【請求項４】
請求項１乃至３の何れかに記載の建物であって、
前記複数の鋼製枠部材は、前記外周に沿って間欠的に配置されており、
前記複数の鋼製枠部材のうちで前記外周に沿う方向に互いに隣り合う鋼製枠部材同士は、前記梁材とは別の第２の梁材を介して連結されていることを特徴とする建物。
【請求項５】
請求項１乃至４の何れかに記載の建物であって、
前記鋼製枠部材は、前記建物の複数階分に相当するサイズに形成されていることを特徴とする建物。
【請求項６】
請求項１乃至５の何れかに記載の建物であって、
前記建物が具備すべき階数に対応させて、複数の前記鋼製枠部材が鉛直方向に積み重ねられていることを特徴とする建物。
【請求項７】
請求項１乃至６の何れかに記載の建物であって、
前記複数の鋼製枠部材のうちの幾つかには、前記外周架構の振動エネルギーを吸収する制振部材が組み込まれていることを特徴とする建物。
【請求項８】
請求項１乃至７の何れかに記載の建物であって、
前記複数の鋼製枠部材のうちの幾つかには、前記外周架構の変形を抑制する耐震部材が組み込まれていることを特徴とする建物。
【請求項９】
建物の外周に鉄骨造の外周架構を有する建物の構築方法であって、
前記外周に沿って複数のフィーレンデール形式の鋼製枠部材を並べて連結することにより、前記外周架構を形成する工程と、
前記外周架構によって内方に区画された内部空間を、鋼製の梁部材に横断させながら、前記梁部材を、互いに対向する前記鋼製枠部材同士に架け渡す梁部材架け渡し工程と、
前記梁部材を、梁端にて、対応する前記鋼製枠部材にピン接合する工程と、
を有し、
前記梁部材の上面は、前記鋼製枠部材の梁材の上面と高さ方向において揃っており、
前記梁部材の梁せいは、前記梁材の梁せいよりも大きく、
前記梁部材の梁せいは、前記梁端において縮小され、前記梁材の梁せいと揃っていることを特徴とする建物の構築方法。
【請求項１０】
請求項９に記載の建物の構築方法であって、
前記外周架構を形成する工程は、複数の前記鋼製枠部材を前記外周に沿って地面の基礎に配置する枠部材配置工程と、配置された複数の前記鋼製枠部材を前記外周に沿って連結する枠部材連結工程と、を有し、
更に、前記梁部材の上に床部を形成する床部形成工程と、を有することを特徴とする建物の構築方法。
【請求項１１】
請求項９又は１０に記載の建物の構築方法であって、
形成された前記外周架構の上に、更に鋼製枠部材を積み重ねる枠部材積み重ね工程と、
積み重ねた前記鋼製枠部材を、前記外周に沿って連結する枠部材連結工程と、を有することを特徴とする建物の構築方法。
【請求項１２】
請求項９乃至１１の何れかに記載の建物の構築方法であって、
前記鋼製枠部材は、前記建物の複数階分に相当するサイズに形成されていることを特徴とする建物の構築方法。
【請求項１３】
建物の外周に沿って配された鉄骨造の外周架構を有する建物の構築方法であって、
一対の柱材と、前記一対の柱材同士を繋ぐ複数の梁材とを有するフィーレンデール形式の鋼製枠部材を予め作成する工程と、
予め作成された前記複数の鋼製枠部材を、前記外周に沿って高さを揃えて間欠的に配置する工程と、
前記複数の鋼製枠部材のうちで前記外周に沿う方向に互いに隣り合う鋼製枠部材同士を、前記梁材とは別の第２の梁材を介して連結する工程とを有し、
前記第２の梁材の断面形状は、前記梁材の断面形状と同じであり、
前記柱材の断面形状は、強軸方向と、該強軸方向に直交する方向であって前記強軸方向よりも断面二次モーメントが小さい弱軸方向と、を有し、前記柱材の強軸方向は、前記外周に沿っており、
前記外周架構より内側の柱が省略されており、
前記梁材と前記第２の梁材は、前記柱材の長手方向に揃っていることを特徴とする建物の構築方法。
【発明の詳細な説明】
【技術分野】
【０００１】
本発明は、構造躯体としての外周架構を有する建物、及びその構築方法に関する。
【背景技術】
【０００２】
事務所ビル等の建物の構造形式は、図１Ａの斜視図に示すようなラーメン構造が一般的である。また、その利便性の観点からは、同図１Ａのように、各階が、１フロアに亘って無柱空間（四側面が室内に露出した柱が無い空間のこと）であることが望まれる。この無柱空間は、一般に、柱１１１，１１１…を各階の外周にのみ立設するとともに、梁１２１，１２１…をロングスパン化して達成される。しかし、その場合には、強度上の理由から梁１２１や柱１１１が大断面化されるために、図１Ｂの平断面図に示すように、各階の内壁面１９１から柱１１１の一部１１１ｐ（所謂柱型）や梁１２１の一部１２１ｐが突出してしまい、その階の室内空間ＳＰｒの効率的利用が阻まれる。例えば、柱１１１の一部１１１ｐが飛び出した壁面１９１の周辺には物を配置し難くなる等デッドスペース化し易くなる。また、梁１２１の大断面化に伴って梁せいも大きくなるので、階高の割には天井高が低くなってしまうこともある。
【０００３】
この点につき、特許文献１には、ＲＣ（鉄筋コンクリート）造の複数のＰＣパネルを建物の外周に沿って配置することによって、建物の外周架構を形成することが記載されており、この方法によれば、外周架構の内方に、無柱空間を形成可能である。
【先行技術文献】
【特許文献】
【０００４】
【特許文献１】特開２００６−２９１４７７号公報
【発明の概要】
【発明が解決しようとする課題】
【０００５】
しかしながら、この特許文献１の方法では、窓の配置パターンが縦連窓形式に限られるというように、外装デザイン上の制約が生じてしまう。すなわち、外周架構は、複数のＰＣパネルを上方に積み重ねてなるＰＣパネル群が、建物の外周に沿って複数群配置されて形成されている。そして、このとき、建物の外周方向に隣り合うＰＣパネル群同士は、当該外周方向に間隔を隔てながら境界梁によって連結一体化され、これにより、当該間隔が鉛直方向に連続して縦連窓となっているが、窓の配置パターンは、当該縦連窓に限られ、窓を自由に配置することができない。
【０００６】
また、この特許文献１には、外周架構をＲＣ造のＰＣパネルで形成することについては具体的に記載されているが、鉄骨造で形成することについては具体的に記載されていない。ここで、外周架構を鉄骨造で形成すれば、同一断面サイズにおいてＲＣ造よりも強度向上を図れることから、この強度向上分だけ断面サイズを縮小できて、結果、外周架構の内方の空間を更に拡大可能と考えられる。更に、鉄骨造は、ＲＣ造と比べて軽量のため、外周架構の自重を軽くできて耐震性の向上を図れるとともに、外周架構の施工時の揚重性も良好になる等、施工し易いものになると考えられる。
【０００７】
本発明は、上記のような従来の問題に鑑みなされたものであって、その目的は、外周架構を有する建物に係り、外周架構の内方に区画される空間を拡大するとともに、窓配置等の外装デザインの自由度を高め、更には、外周架構の施工性を高めることにある。
【課題を解決するための手段】
【０００８】
かかる目的を達成するために請求項１に示す発明は、
建物の外周に沿って配された鉄骨造の外周架構を有する建物であって、
該外周架構は複数のフィーレンデール形式の鋼製枠部材を有し、前記複数の鋼製枠部材は前記外周に沿って並んでおり、前記複数の鋼製枠部材は連結されており、
前記外周架構によって内方に区画された内部空間を横断して設けられた鋼製の梁部材であって、前記複数の鋼製枠部材のうちで、前記内部空間を隔てて互いに対向する鋼製枠部材同士に架け渡された前記梁部材を複数有し、
前記梁部材は、梁端にて、対応する前記鋼製枠部材にピン接合されており、
前記梁部材の上面は、前記鋼製枠部材の梁材の上面と高さ方向において揃っており、
前記梁部材の梁せいは、前記梁材の梁せいよりも大きく、
前記梁部材の梁せいは、前記梁端において縮小され、前記梁材の梁せいと揃っていることを特徴とする。
【００１２】
請求項２に示す発明は、請求項１に記載の建物であって、
前記鋼製枠部材は、一対の柱材と、前記一対の柱材同士を繋ぐ梁材と、を有し、
前記柱材の断面形状は、強軸方向と、該強軸方向に直交する方向であって前記強軸方向よりも断面二次モーメントが小さい弱軸方向と、を有し、
前記柱材の強軸方向は、前記外周に沿っていることを特徴とする。
【００１３】
上記請求項２に示す発明によれば、柱材の強軸方向が、外周架構の外周に沿っているので、柱材の剛性や強度を、外周架構の外周に沿う方向に高めることができて、全体として外周架構の水平剛性や水平強度の向上を図れる。これにより、その剛性や強度向上分だけ柱材の断面サイズを小さくすることができて、結果、外周架構の内部空間への枠部材の突出量の縮小化を通して、内部空間の拡大や、フィーレンデール形式に係る四角形の開口部の拡大を図れる。  
また、柱材の断面サイズを小さくできるので、外周架構の軽量化を図れる。
【００１９】
請求項３に示す発明は、請求項１又は２に記載の建物であって、
前記鋼製枠部材は、一対の柱材と、前記一対の柱材同士を繋ぐ複数の梁材と、を有し、
前記鋼製枠部材の前記梁材の断面形状は、強軸方向と、該強軸方向に直交する方向であって前記強軸方向よりも断面二次モーメントが小さい弱軸方向とを有し、
前記梁材の強軸方向は、鉛直方向を向いており、
前記梁材は、前記一対の柱材の間の空間を複数の開口部に区分するように、鉛直方向に間欠的に並んで配置されていることを特徴とする。
【００２０】
上記請求項３に示す発明によれば、梁材の強軸方向が、鉛直方向を向いているので、梁材の剛性や強度を鉛直方向に高めることができて、これにより間接的に、鋼製枠部材の剛性や強度を建物の外周に沿う方向に高めることが可能となって、全体として外周架構の水平剛性や水平強度の向上を図れる。これにより、その剛性や強度向上分だけ梁材の断面サイズを小さくすることができて、結果、外周架構の内部空間への鋼製枠部材の突出量の縮小化を通して、当該内部空間の拡大や、フィーレンデール形式に係る四角形の開口部の拡大を図れる。
また、梁材の断面サイズを小さくできるので、外周架構の軽量化を図れる。
更には、鋼製枠部材の梁材は、一対の柱材の間の空間を複数の開口部に区分するように配置されているので、鋼製枠部材は少なくとも３本以上の梁材を有している。よって、梁材一本当たりの負荷荷重の軽減を図れ、各階の床部高さに位置する梁材の梁せいを小さくすることができる。そして、これにより、梁材の梁せい起因で階高が高くなってしまうことを回避可能となる。
【００２１】
請求項４に示す発明は、請求項１乃至３の何れかに記載の建物であって、
前記複数の鋼製枠部材は、前記外周に沿って間欠的に配置されており、
前記複数の鋼製枠部材のうちで前記外周に沿う方向に互いに隣り合う鋼製枠部材同士は、前記梁材とは別の第２の梁材を介して連結されていることを特徴とする。
【００２２】
上記請求項４に示す発明によれば、鋼製枠部材同士は、第２の梁材を介して連結されているので、鋼製枠部材の柱材同士が隣接配置されずに済んで、外周架構の外周面に占めるフィーレンデール形式に係る四角形の開口部の面積比率を高めることができて、より開放感のある建物にすることができる。
【００２３】
請求項５に示す発明は、請求項１乃至４の何れかに記載の建物であって、
前記鋼製枠部材は、前記建物の複数階分に相当するサイズに形成されていることを特徴とする。
【００２４】
上記請求項５に示す発明によれば、鋼製枠部材を一層分設けるだけで、複数階分に相当する外周架構を完成させることができるので、施工手順の簡素化を通して工期短縮等を図れる。
【００２５】
請求項６に示す発明は、請求項１乃至５の何れかに記載の建物であって、
前記建物が具備すべき階数に対応させて、複数の前記鋼製枠部材が鉛直方向に積み重ねられていることを特徴とする。
【００２６】
上記請求項６に示す発明によれば、建物の階数に応じた数の鋼製枠部材が鉛直方向に積み重ねられているので、任意の階数の建物の外周架構であっても、鋼製枠部材で形成可能となる。
【００２７】
請求項７に示す発明は、請求項１乃至６の何れかに記載の建物であって、
前記複数の鋼製枠部材のうちの幾つかには、前記外周架構の振動エネルギーを吸収する制振部材が組み込まれていることを特徴とする。
【００２８】
上記請求項７に示す発明によれば、鋼製枠部材には制振部材が組み込まれているので、外周架構の振動を有効に減衰して抑制することができる。
また、制振部材は鋼製枠部材に組み込まれているので、外周架構の内部空間に、別途制振部材を設けずに済み、結果、内部空間を広く確保可能となる。
【００２９】
請求項８に示す発明は、請求項１乃至７の何れかに記載の建物であって、
前記複数の鋼製枠部材のうちの幾つかには、前記外周架構の変形を抑制する耐震部材が組み込まれていることを特徴とする。
【００３０】
上記請求項８に示す発明によれば、鋼製枠部材には耐震部材が組み込まれているので、外周架構の耐震性を高めることができる。
また、耐震部材は鋼製枠部材に組み込まれているので、外周架構の内部空間に、別途耐震部材を設けずに済み、結果、内部空間を広く確保可能となる。
【００３１】
請求項９に示す発明は、建物の外周に鉄骨造の外周架構を有する建物の構築方法であって、
前記外周に沿って複数のフィーレンデール形式の鋼製枠部材を並べて連結することにより、前記外周架構を形成する工程と、
前記外周架構によって内方に区画された内部空間を、鋼製の梁部材に横断させながら、前記梁部材を、互いに対向する前記鋼製枠部材同士に架け渡す梁部材架け渡し工程と、
前記梁部材を、梁端にて、対応する前記鋼製枠部材にピン接合する工程と、
を有し、
前記梁部材の上面は、前記鋼製枠部材の梁材の上面と高さ方向において揃っており、
前記梁部材の梁せいは、前記梁材の梁せいよりも大きく、
前記梁部材の梁せいは、前記梁端において縮小され、前記梁材の梁せいと揃っていることを特徴とする。
【００３２】
上記請求項９に示す発明によれば、請求項１と同様の作用効果を奏することができる。
【００３３】
請求項１０に示す発明は、請求項９に記載の建物の構築方法であって、
前記外周架構を形成する工程は、複数の前記鋼製枠部材を前記外周に沿って地面の基礎に配置する枠部材配置工程と、配置された複数の前記鋼製枠部材を前記外周に沿って連結する枠部材連結工程と、を有し、
更に、前記梁部材の上に床部を形成する床部形成工程と、を有することを特徴とする。
【００３４】
上記請求項１０に示す発明によれば、複数の鋼製枠部材を地面の基礎に配置し、配置された鋼製枠部材を連結して外周架構を形成するが、当該枠部材は、予め工場等にて効率良く製造しておくことができる。よって、施工現場での施工性を高めることができる。
また、外周架構の内部空間を隔てて対向する鋼製枠部材同士に梁部材を架け渡すので、当該梁部材により外周架構は補剛・補強され、結果、外周架構の倒壊を有効に防ぐことができる。
【００３５】
請求項１１に示す発明は、請求項９又は１０に記載の建物の構築方法であって、
形成された前記外周架構の上に、更に鋼製枠部材を積み重ねる枠部材積み重ね工程と、
積み重ねた前記鋼製枠部材を、前記外周に沿って連結する枠部材連結工程と、を有することを特徴とする。
【００３６】
上記請求項１１に示す発明によれば、揚重機等の関係で鋼製枠部材の高さ寸法に制限がある場合にも、任意の高さの外周架構を形成可能となり、もって、外周架構を形成し易くなる。
【００３７】
請求項１２に示す発明は、請求項９乃至１１の何れかに記載の建物の構築方法であって、
前記鋼製枠部材は、前記建物の複数階分に相当するサイズに形成されていることを特徴とする。
【００３８】
上記請求項１２に示す発明によれば、鋼製枠部材を一層分設けるだけで、複数階分に相当する外周架構を形成することができるので、施工手順の簡素化を通して工期短縮等を図れる。
請求項１３に示す発明は、
建物の外周に沿って配された鉄骨造の外周架構を有する建物の構築方法であって、
一対の柱材と、前記一対の柱材同士を繋ぐ複数の梁材とを有するフィーレンデール形式の鋼製枠部材を予め作成する工程と、
予め作成された前記複数の鋼製枠部材を、前記外周に沿って高さを揃えて間欠的に配置する工程と、
前記複数の鋼製枠部材のうちで前記外周に沿う方向に互いに隣り合う鋼製枠部材同士を、前記梁材とは別の第２の梁材を介して連結する工程とを有し、
前記第２の梁材の断面形状は、前記梁材の断面形状と同じであり、
前記柱材の断面形状は、強軸方向と、該強軸方向に直交する方向であって前記強軸方向よりも断面二次モーメントが小さい弱軸方向と、を有し、前記柱材の強軸方向は、前記外周に沿っており、
前記外周架構より内側の柱が省略されており、
前記梁材と前記第２の梁材は、前記柱材の長手方向に揃っていることを特徴とする。
【発明の効果】
【００３９】
本発明によれば、外周架構を有する建物に係り、外周架構の内方に区画される空間を拡大でき、また、窓配置等の外装デザインの自由度を高め、更には、外周架構の施工性を高めることができる。
【図面の簡単な説明】
【００４０】
【図１】図１Ａは従来の建物の概略斜視図であり、図１Ｂは同平断面図である。
【図２】第１実施形態の建物５の概略斜視図である。
【図３】図３Ａ及び図３Ｂは、第１実施形態の建物５の構築手順の説明図である。
【図４】図４Ａ及び図４Ｂは、同構築手順の説明図である。
【図５】建物５の外周架構１０の拡大三面図（側面図、上面図（側面図中のＢ−Ｂ矢視図）、縦断面図（側面図中のＣ−Ｃ矢視図））である。
【図６】鋼製枠部材Ｆ１０の三面図（側面図、上面図（側面図中のＢ−Ｂ矢視図）、縦断面図（側面図中のＣ−Ｃ矢視図））である。
【図７】外周架構１０の概略上面図である。
【図８】図８Ａは、梁部材５０と柱材１１との連結構造の平断面図であり、図８Ｂは、同縦断面図である。
【図９】図９Ａは、梁部材５０と梁材２１との連結構造の平断面図であり、図９Ｂは、図９Ａ中のＢ−Ｂ断面図である。
【図１０】図１０Ａは、制振部材８０を組み込んだ枠部材Ｆ１０の正面図であり、図１０Ｂは、耐震部材８５として鋼板耐震壁８５を組み込んだ枠部材Ｆ１０の正面図である。
【図１１】建物５の一階分の高さに相当するサイズの枠部材Ｆ１０ａ，Ｆ１０ｂの正面図である。
【図１２】第１実施形態の枠部材Ｆ１０の複数倍の幅寸を有する枠部材Ｆ１０ｃ，Ｆ１０ｄの正面図である。
【図１３】第２実施形態の建物５’の概略斜視図である。
【図１４】図１４Ａ乃至図１４Ｃは、第２実施形態の建物５’の構築手順の模式図であり、何れの図も、左側に側面図を示し、右側には上面図を示している。
【図１５】図１５Ａ及び図１５Ｂは、同構築手順の模式図であり、何れの図も、左側に側面図を示し、右側には上面図を示している。
【図１６】枠部材Ｆ１０，Ｆ１０…を用いて形成されるその他の種類の外周架構１０’’の側面図である。
【発明を実施するための形態】
【００４１】
＝＝＝第１実施形態＝＝＝
図２は、第１実施形態の建物５の概略斜視図である。また、図３Ａ乃至図４Ｂは、建物５の構築手順の説明図である。なお、図２や図４Ｂでは、外壁材や屋根材等の建物５の一部の構成を省略して示している。
【００４２】
この建物５は、例えば複数階の一例としての二階建ての事務所ビルであり、地面Ｇに埋設されたコンクリート製の基礎３上に構築されている。この建物５は、その構造躯体として、基礎３の上面のうちで、構築されるべき建物５の外周に相当する部位に沿って連続して環状に配された鉄骨造の外周架構１０と、外周架構１０によって内方に区画された空間（以下、内部空間ＳＰ１０とも言う）を横断して設けられた複数の鋼製の梁部材５０，５０…（図４Ａを参照）とを有している。そして、梁部材５０，５０…には二階用の床部６０が設けられ、また、外周架構１０の上部には不図示の屋根材が設けられ、更に、外周架構１０の側部には不図示の外壁材や窓枠等が設けられている。
【００４３】
基礎３は、建物５の平面外形よりも大きい平面形状を有する。そして、基礎３には、外周架構１０を当該基礎３に固定するための不図示の鋼材が埋設されている。よって、例えば、当該鋼材に、外周架構１０の柱材１１，１１…を剛接合することで外周架構１０は基礎３に一体的に連結される。ちなみに、剛接合とは、外力を受けても接合状態が変化しない接合方式のことであり、これにより、曲げモーメントも速やかに伝達される。この剛接合は、溶接接合やボルト接合により実現される。
【００４４】
外周架構１０は、複数の鋼製の柱材１１，１１…と複数の鋼製の梁材２１，２１…とを組んで形成されており、その骨組み構造として、フィーレンデール形式が使用されている。フィーレンデール形式とは、柱材１１と梁材２１とが剛接合されたラーメン構造形式の一種であって、四角形を基本とする骨組み構造形式のことである。よって、基本的に、柱材１１は、その長手方向を鉛直方向に向けて設けられ、梁材２１は、その長手方向を水平方向に向けて設けられており、図２の例の外周架構１０は、その外周面に、全体として略格子状に複数の四角形の開口部ＯＰ，ＯＰ…を有している。
【００４５】
なお、これら開口部ＯＰ，ＯＰ…については、窓枠を設けて窓にしたり、外壁材で塞いで外壁とすることもできて、結果、その設定によっては、窓の配置を縦連窓や横連窓にもできるし更には市松模様状にすることも可能である。  
また、これら柱材１１や梁材２１を、窓枠や外壁材等の外装仕上げ材の支持部材として用いることもできるので、外装マリオンの縮小化を図ることもできる。
【００４６】
各柱材１１は、建物５の外周に沿う方向（以下、建物外周方向とも言う）に沿って間欠的に配されている。そして、各柱材１１は、その配置位置において基礎３の鋼材と剛接合されており、これにより基礎３と連結一体化されている。また、建物外周方向に隣り合う柱材１１，１１同士は、梁材２１によって連結されている。梁材２１は、鉛直方向に間欠的に並んで複数本配置されている。例えば、図示例では、柱材１１の上下の各端部にそれぞれ一本ずつ梁材２１が設けられ、その間の範囲を複数等分の一例として六等分するように５本の梁材２１，２１…が配置されている。そして、これにより、隣り合う柱材１１，１１同士の間の空間は、六つの開口部ＯＰ，ＯＰ…に区分されている。
【００４７】
更に詳しくは、図５の外周架構１０の拡大三面図（側面図、上面図（側面図中のＢ−Ｂ矢視図）、縦断面図（側面図中のＣ−Ｃ矢視図））に示すように、隣り合う柱材１１，１１同士は、互いに面１１ｆｓでもって対向しており、これら面１１ｆｓ，１１ｆｓ同士の間に梁材２１が介装されつつ、当該梁材２１の両端の小口面２１ｓｓが面１１ｆｓに突き合わされる形で剛接合されている。例えば、後述するように、ここでは柱材１１及び梁材２１としてＨ形鋼が使用されているが、建物外周方向に隣り合う柱材１１，１１同士は、互いにフランジ面１１ｆｓ，１１ｆｓを対向させており、このフランジ面１１ｆｓに梁材２１のＨ形の小口面２１ｓｓが突き合わされて、溶接接合やボルト接合によって剛接合されている。そして、これにより、外周架構１０の内部空間ＳＰ１０への柱材１１や梁材２１の突出を有効に抑制し、内部空間ＳＰ１０の拡大を図っている。なお、柱材１１のＨ形鋼の一対のフランジ１１ｆ，１１ｆ及びウエブ１１ｗに適宜ダイアフラム（不図示）を架け渡して設け、これにより、柱材１１における梁材２１の連結部位を補強しても良い。
【００４８】
また、図２の例では、建物５の平面外形形状が矩形である。よって、建物５の四つの各辺を外周として、柱材１１，１１…は当該各辺に沿って略等ピッチで立設されている。但し、建物５の平面外形形状は、何等これに限らず、例えば、入り隅を屋外に有した平面視Ｌ字状の外形形状でも良いし、三角形等の矩形以外の多角形でも良いし、円形でも良く、更には、これら多角形や円形を複数組み合わせてなる複合形状であっても良い。
【００４９】
ところで、本発明にあっては、施工現場での施工性向上等の観点から、工場等において予め、外周架構１０に係る柱材１１，１１と梁材２１，２１…とを、フィーレンデール形式の枠部材Ｆ１０の一例として梯子状の枠部材Ｆ１０に組んでユニット化している。すなわち、図６の三面図（側面図、上面図（側面図中のＢ−Ｂ矢視図）、縦断面図（側面図中のＣ−Ｃ矢視図））に示すように、当該枠部材Ｆ１０は、複数階の一例としての二階分の高さに相当する長さの一対の柱材１１，１１と、これら一対の柱材１１，１１を繋ぐべく鉛直方向に間欠的に並んで水平に配置された複数（ここでは７本）の梁材２１，２１…とを有している。  
そして、これら枠部材Ｆ１０，Ｆ１０…を施工現場に搬入し、図３Ａのように建物５の外周たる各辺に沿って間欠的に配置して基礎３に固定した後に、図３Ｂのように建物外周方向に互いに隣り合う枠部材Ｆ１０，Ｆ１０同士を、鋼製の連結部材Ｊ１０を介して順次連結し、これにより、外周架構１０が形成される。
【００５０】
なお、この図の例では、枠部材Ｆ１０の梁材２１は、一対の柱材１１，１１の間の空間を六つの開口部ＯＰに区分すべく７本設けられているが、これは、図２で既述のように、外周架構１０において互いに隣り合う柱材１１，１１同士の間の空間が六つの開口部ＯＰ，ＯＰ…に区分されているためである。
【００５１】
また、図６の例では、柱材１１の上端部の小口面１１ｓｓの高さ位置を、その近傍たる最上段の梁材２１の上面２１ｕｓと面一に揃え、また、柱材１１の下端部の小口面１１ｓｓの高さ位置を、その近傍たる最下段の梁材２１の下面２１ｄｓと面一に揃えているが、何等これに限るものではなく、柱材１１の各端部を、それぞれ対応する梁材２１の上面２１ｕｓや下面２１ｄｓよりも鉛直方向に若干飛び出させても良い。
【００５２】
図３Ｂや図７の外周架構１０の概略上面図に示すように、上記の連結部材Ｊ１０としては、基本的には枠部材Ｆ１０の梁材２１と同様、水平方向に真っ直ぐな梁材２１が使用される。例えば、建物５の四つの隅角部５ｃ以外の部位に配置される連結部材Ｊ１０ａ、つまり建物５の四つの各辺に配置される連結部材Ｊ１０ａには、真っ直ぐな梁材２１（「第２の梁材」に相当）が使用される。これにより、後に各辺に形成されるべき内壁面を突出部の無い略平坦面にすることができる。これに対して、建物５の四つの隅角部５ｃに配置される連結部材Ｊ１０ｃにあっては、各隅角部５ｃの形状に対応させてＬ字状の屈曲部を有した梁材２１ｃ（「第２の梁材」に相当）が使用されるか、或いは、Ｌ字状の梁材２１ｃ（「第２の梁材」に相当）及び真っ直ぐな梁材２１（「第２の梁材」に相当）が柱材１１に剛接合されてなる部材のどちらかが使用される。
【００５３】
ここで望ましくは、上記の各辺に配置される連結部材Ｊ１０ａについては、図５に示すように、枠部材Ｆ１０の梁材２１と全く同仕様（つまり、同じ断面形状で同じ長さ）の梁材２１を使用し、そして、その設置高さや鉛直方向の設置数を、枠部材Ｆ１０の梁材２１に揃えると良い。そうすれば、図５中の側面図に示すように、外周架構１０における枠部材Ｆ１０，Ｆ１０同士の間の部分も、枠部材Ｆ１０と完全に同仕様の梯子状になるので、建物外周方向の位置に応じて外周架構１０の強度や剛性が変化することを防止できる。また、隅角部５ｃに配置される連結部材Ｊ１０ｃの梁材２１ｃ，２１についても、その設置高さや鉛直方向の設置数を、枠部材Ｆ１０の梁材２１に揃えると良く、そうすれば、隅角部５ｃにおいても概ね枠部材Ｆ１０と類似の梯子状仕様になるので、建物外周方向の略全周に亘って、外周架構１０の強度や剛性を略均等にすることができる。
【００５４】
また、柱材１１の断面形状が、強軸方向と、該強軸方向に直交する方向であって強軸方向よりも断面二次モーメントが小さい弱軸方向とを有している場合には、望ましくは、柱材１１の強軸方向を、建物外周方向に沿わせると良い。図５の例では、柱材１１としてＨ形鋼を使用しており、かかるＨ形鋼の強軸方向は、Ｈ形鋼のウエブ面１１ｗｓと平行な方向であり、換言すると、Ｈ形鋼のフランジ面１１ｆｓの法線方向である。よって、図７に示すように、ウエブ面１１ｗｓが建物外周方向に沿うように柱材１１は配されており、換言すると、フランジ面１１ｆｓの法線方向が建物外周方向に沿うように柱材１１は配されている。
【００５５】
そして、このように柱材１１の強軸方向を建物外周方向に沿わせれば、柱材１１の剛性や強度を、外周架構１０の外周に沿う方向に高めることができて、全体として外周架構１０の水平剛性や水平強度の向上を図れる。これにより、その剛性や強度向上分だけ柱材１１の断面サイズを小さくすることができて、結果、外周架構１０の内部空間ＳＰ１０への枠部材Ｆ１０の突出量の縮小化を通して、内部空間ＳＰ１０の拡大や、フィーレンデール形式に係る四角形の開口部ＯＰの拡大を図れる。
【００５６】
なお、図７の例では、外周架構１０が具備する全ての柱材１１，１１…について、その強軸方向を建物外周方向に沿わせているが、何等これに限るものではなく、これらのうちの幾つかの柱材１１，１１…については、強軸方向を建物外周方向に沿わせ、残りの柱材１１，１１…については、その強軸方向を建物外周方向に沿わせなくても良い。例えば、建物外周方向に沿って一つおき又は複数おきに、柱材１１の強軸方向を建物外周方向に沿わせても良いし、又は、建物５の四辺の各辺につき、少なくとも一つの柱材１１の強軸方向を建物外周方向に沿わせるようにしても良い。
【００５７】
また、柱材１１は、何等Ｈ形鋼に限るものではなく、溝形鋼でも良いし、断面長方形形状の鋼製パイプでも良い。
【００５８】
また、この強軸方向をどの方向に向けるかについては、枠部材Ｆ１０の梁材２１や連結部材Ｊ１０ａ，Ｊ１０ｃの梁材２１，２１ｃにも望ましい向きが存在する。すなわち、これら梁材２１，２１ｃの断面形状が、強軸方向と、該強軸方向に直交する方向であって強軸方向よりも断面二次モーメントが小さい弱軸方向とを有している場合には、望ましくは、梁材２１，２１ｃの強軸方向を、鉛直方向に沿わせると良い。図５の例では、梁材２１，２１ｃに、Ｈ形鋼が使用されているので、Ｈ形鋼のウエブ面２１ｗｓが、鉛直方向に沿うように梁材２１，２１ｃは配されている。
【００５９】
そして、このようにすれば、梁材２１，２１ｃの剛性や強度を、鉛直方向に高めることができて、これにより、間接的に、枠部材Ｆ１０や連結部材Ｊ１０ａ，Ｊ１０ｃの剛性や強度を建物外周方向に高めることができ、結果、全体として外周架構１０の水平剛性や水平強度の向上を図れる。これにより、その剛性や強度向上分だけ梁材２１，２１ｃの断面サイズを小さくすることができて、結果、外周架構１０の内部空間ＳＰ１０への梁材２１，２１ｃの突出量の縮小化を通して、内部空間ＳＰ１０の拡大や、フィーレンデール形式に係る四角形の開口部ＯＰの拡大を図れる。  
なお、柱材１１の場合と同様、梁材２１，２１ｃも何等Ｈ形鋼に限るものではなく、溝形鋼でも良いし、断面長方形形状の鋼製パイプでも良い。
【００６０】
ところで、図２を参照して既述のように、外周架構１０には、その内部空間ＳＰ１０を横断して複数の鋼製の梁部材５０，５０…が架け渡されている。そして、その上方には、梁部材５０，５０…との間で架け渡し方向を直交させつつ複数枚の波形のデッキプレート６２，６２…が設けられて梁部材５０，５０…に載置支持され、更に、デッキプレート６２，６２…の上方から不図示のコンクリートが打設されて、これにより２階の床部６０が形成されている。
【００６１】
各梁部材５０，５０…は、図２や図４Ａに示すように、建物５の短辺方向を架け渡し方向としており、よって、建物５の長辺方向には、複数の梁部材５０，５０…が間欠的に並んで配されている。なお、架け渡し方向を、建物５の短辺方向にしているので、梁部材５０の下方の撓み変形は抑制され、その分だけ、梁部材５０の断面サイズを小さくできる。また、そもそも梁部材５０は鋼製なので、ＲＣ造と比較して高強度であり、その分だけ断面サイズを小さくすることもできて、結果、梁部材５０の梁せいの縮小を通して、階高の割に高い天井高を確保可能となる。更には、梁部材５０を複数本有しているので、床部６０の重量の支持を複数本の梁部材５０，５０…に分担させることができる。つまり、梁部材５０一本当たりの荷重負荷の軽減を図れ、各梁部材５０の梁せいを小さくできて、このことも、上述の高い天井高の確保に寄与する。また、全ての梁部材５０の架け渡し方向が一方向たる短辺方向に平行に揃っているので、空調ダクト等の長尺の屋内装備品を、梁部材５０，５０同士の間の空間に配置できて、当該長尺の屋内装備品の設置性に優れる。
【００６２】
なお、かかる梁部材５０，５０…は、上述のように二階の床部６０を支持する床梁として機能するので、各梁部材５０は、梁端にて、柱材１１の長手方向の略中間部位に連結され、これにより、柱材１１，１１に両端支持されている。図８Ａ及び図８Ｂは、この連結構造の説明図である。図８Ａに平断面図を示し、図８Ｂには縦断面図を示している。なお、図８Ａは、図８Ｂ中のＡ−Ａ断面図でもあり、図８Ｂは、図８Ａ中のＢ−Ｂ断面図でもある。
【００６３】
図８Ａ及び図８Ｂに示すように、この例では、梁部材５０もＨ形鋼である。そして、下方への撓み抑制の観点から、梁部材５０の強軸方向は、鉛直方向に向けられている。すなわち、梁部材５０の上部と下部とに、それぞれフランジ５０ｆ，５０ｆが位置しており、これらフランジ５０ｆ，５０ｆ同士の間にウエブ５０ｗが位置している。
【００６４】
ここで、梁部材５０の梁端は、柱材１１のウエブ１１ｗにピン接合されている。詳しくは、柱材１１のウエブ１１ｗからは、当該ウエブ１１ｗに剛接合されたガセットプレート１５が梁部材５０の方へ延出しており、このガセットプレート１５と梁部材５０のウエブ５０ｗとが互いの側面にて重なり合った状態で、水平ピン又はボルト等の連結部材１７を介して連結されている。ここで、ピン接合とは、連結位置での相対回転を許容しつつ、これ以外の相対移動を不能に規制する接合構造である。そのため、梁部材５０の梁端には、専ら梁部材５０及び床部６０の自重のみが作用して、曲げモーメントの入力は軽減されるので、その軽減分だけ、梁部材５０の梁端の梁せいを縮小可能となる。よって、図８Ｂの例では、梁部材５０の梁端の下部を段状に切り欠き、梁端の梁せいｈ５０ｅを梁部材５０の中央部などの定常部分の梁せいｈ５０ｃよりも縮小させている。そして、これにより、梁部材５０の梁端を、外周架構１０に隠し易くなり、結果、当該梁端を、屋外から見え難くすることができて、建物５の外観の意匠性を良好にしている。
【００６５】
より詳しく説明すると、この例では、外周架構１０の梁材２１，２１…のうちで高さ方向の中間に位置する梁材２１が、二階の床面高さに最も近い梁材２１であるので、この梁材２１の上面２１ｕｓと梁部材５０の上面５０ｕｓとが高さ方向にほぼ揃うように梁部材５０は配されている。また、この例では、外周架構１０の梁材２１の梁せいｈ２１よりも、梁部材５０の梁せいｈ５０ｃの方が大きくなっている。そのため、この梁せいｈ５０ｃが大きい分だけ、梁部材５０が梁端において梁材２１よりも下方に突出してしまい、これにより、屋外から梁部材５０の梁端が見え易くなり、その結果、建物５の外観の意匠性を損ねてしまう。しかし、この点につき、上述のように梁部材５０の梁せいｈ５０ｅを梁端において縮小しておけば、当該梁端での梁せいｈ５０ｅを梁材２１の梁せいｈ２１に概ね揃えることができて、その結果、梁部材５０の梁端を、外周架構１０の梁材２１や柱材１１の影に隠して屋外から見え難くすることが可能となる。  
また、このように梁部材５０の梁端を切り欠けば、当該切り欠き部５０ｋの下方に形成された空間を、カーテンボックスやブラインドボックス等の屋内装備品の設置スペースとして利用することもできる。なお、この梁端の切り欠き部５０ｋの切り欠き形状は、何等図８Ｂの段状に限るものではなく、梁端へ向かうに従って梁せいｈ５０ｅが漸減するテーパー形状にしても良いし（図９Ｂ）、これ以外の形状でも構わない。  
また、望ましくは、ガセットプレート１５を上下から補強する目的で、柱材１１のウエブ１１ｗに上下一対の水平プレート（不図示）を設け、これら水平プレートによってガセットプレート１５を上下から挟みつつ剛接合しても良い。
【００６６】
また、上述の例では、柱材１１，１１…の柱割に合わせて梁部材５０，５０…を配置していた関係上、梁部材５０を柱材１１に連結していたが、何等これに限るものではない。例えば、諸事情のために柱材１１の配置位置と梁部材５０の配置位置とが異なってしまう場合には、梁部材５０を外周架構１０の梁材２１に連結しても良い。図９Ａ及び図９Ｂは、その連結構造の説明図であり、図９Ａには平断面図を示し、図９Ｂには図９Ａ中のＢ−Ｂ断面図を示している。この例では、外周架構１０の梁材２１のウエブ２１ｗからガセットプレート１５が梁部材５０の方へ延出して設けられている。そして、このガセットプレート１５と梁部材５０のウエブ５０ｗとが互いの側面にて重なり合った状態で、水平ピンやボルト等の連結部材１７を介して連結されており、これにより、梁部材５０は外周架構１０の梁材２１にピン接合されている。
【００６７】
ところで、場合によっては、枠部材Ｆ１０内に、制振部材８０や耐震部材８５を組み込んでおいても良い。ここで、制振部材８０とは、オイルダンパーや摩擦ダンパー等の外周架構１０の振動エネルギーを吸収する部材のことであり、そして、かかる制振部材８０は、例えば、図１０Ａに示すように、枠部材Ｆ１０の四角形の開口部ＯＰ毎にその対角方向に架け渡されて設けられる。また、耐震部材８５とは、ブレースや鋼板耐震壁８５等の外周架構１０の変形を抑制する部材のことであり、前者のブレースについては、枠部材Ｆ１０の四角形の開口部ＯＰ毎にその対角方向に架け渡して設けられ、後者の鋼板耐震壁８５にあっては、図１０Ｂに示すように、枠部材Ｆ１０が有する開口部ＯＰ毎に、その幾つかの開口部ＯＰ，ＯＰ…又は全部の開口部ＯＰ，ＯＰ…を覆って設けられる。
【００６８】
そして、このような制振部材８０や耐震部材８５を枠部材Ｆ１０内に組み込んでおけば、外周架構１０の内部空間ＳＰ１０に、別途制振部材８０や耐震部材８５を設けずに済み、その結果、内部空間ＳＰ１０を広く確保可能となる。また、かかる制振部材８０や耐震部材８５を、予め工場等において枠部材Ｆ１０に組み込み搭載しておけば、施工現場での作業負荷を軽減できる。
【００６９】
ここで、この建物５の構築方法について図３Ａ乃至図４Ｂを参照して説明する。  
先ず、専用の加工装置等を備える工場等において、柱材１１及び梁材２１を組んで枠部材Ｆ１０を製造する（枠部材製造工程）。また、これと併せて連結部材Ｊ１０（Ｊ１０ａ，Ｊ１０ｃ）や梁部材５０も製造する。なお、枠部材Ｆ１０にあっては、必要に応じて制振部材８０や耐震部材８５も組み込んでおく。そして、これら枠部材Ｆ１０等を、建物５の構築場所たる施工現場へ搬送する。
【００７０】
次に、施工現場の地面Ｇに設けられたコンクリート製の基礎３（図３Ａ乃至図４Ｂでは不図示）の上面に、複数の枠部材Ｆ１０，Ｆ１０…を配置する（枠部材配置工程）。このとき、各枠部材Ｆ１０は、構築されるべき建物５の外周に沿って、つまり建物外周方向に沿って間欠的に配置される。そして、各配置位置において各枠部材Ｆ１０の柱材１１の下端部が、同配置位置の基礎３の鋼材に剛接合され、これにより各枠部材Ｆ１０は基礎３に連結一体化される。
【００７１】
そうしたら、図３Ｂに示すように、建物外周方向に隣り合う枠部材Ｆ１０，Ｆ１０同士を、連結部材Ｊ１０（Ｊ１０ａ，Ｊ１０ｃ）によって順次連結する（枠部材連結工程）。これにより、建物外周方向の全周に亘って連続した環状の外周架構１０が完成する。
【００７２】
次に、図４Ａに示すように、外周架構１０の短辺方向を架け渡し方向として、複数の梁部材５０，５０…を外周架構１０に架け渡す（梁部材架け渡し工程）。詳しくは、外周架構１０の長辺に位置する各柱材１１に、それぞれ一本ずつ梁部材５０をピン接合で連結して各梁部材５０を両端支持させる。そして、図４Ｂに示すように、これら梁部材５０，５０…の上方に複数の鋼製デッキプレート６２，６２…を載置後、デッキプレート６２，６２…上に不図示のコンクリートを打設して建物５の二階の床部６０を形成する（床部形成工程）。
【００７３】
そうしたら最後に、外周架構１０の上部を不図示の屋根材で覆い、また、外周架構１０の側部に適宜不図示の外壁材や窓枠を設置等して、以上をもって建物５が完成する。
【００７４】
ちなみに、上述の第１実施形態では、建物５が二階建てであったので、図６の枠部材Ｆ１０の柱材１１として、建物５の二階分の高さに相当する長さの一本もののＨ形鋼を用い、これにより、枠部材Ｆ１０を建物５の二階分に相当するサイズに形成していたが、この枠部材Ｆ１０のサイズは、何等これに限るものではなく、例えば一階分にしても良い。その場合には、図１１の左側に示すように、枠部材Ｆ１０ａ，Ｆ１０ｂとして、例えば一階用の枠部材Ｆ１０ａと二階用の枠部材Ｆ１０ｂとの二種類が用意される。どちらの枠部材Ｆ１０ａ，Ｆ１０ｂも、一階分の高さに相当する長さの一対の柱材１１，１１と、これら一対の柱材１１，１１同士を連結する複数の梁材２１，２１…とを有するが、一階用の枠部材Ｆ１０ａが、柱材１１の上下の各端部にそれぞれ梁材２１を有しているのに対して、二階用の枠部材Ｆ１０ｂにあっては、柱材１１の下端部の梁材２１が省略されている。これは次の理由による。外周架構１０の構築時には、一階用の枠部材Ｆ１０ａの上方に二階用の枠部材Ｆ１０ｂを積み重ねるべく、一階用の枠部材Ｆ１０ａの柱材１１の上端の小口面１１ｓｓと二階用の枠部材Ｆ１０ｂの柱材１１の下端の小口面１１ｓｓとを突き合わせて剛接合することになるが、このときに、一階用の枠部材Ｆ１０ａの上端部の梁材２１を、二階の枠部材Ｆ１０ｂの下端部の梁材２１に兼用するためである。但し、何等これに限るものではなく、例えば、当該一階用の枠部材Ｆ１０ａと同構造のものを、一階だけでなく二階に用いても良いし、また、逆に、当該二階用の枠部材Ｆ１０ｂを、二階だけでなく一階に用いても良い。
【００７５】
更には、図１１の左側の例では、一、二階用の各枠部材Ｆ１０ａ，Ｆ１０ｂの両者につき、柱材１１の上端部の小口面１１ｓｓの高さ位置を、その近傍たる最上段の梁材２１の上面２１ｕｓと面一に揃えていたが、何等これに限るものではなく、図１１の右側に示すように、一階用の枠部材Ｆ１０ａの柱材１１の上端部を、梁材２１の上面２１ｕｓよりも鉛直方向の上方に若干飛び出させても良く、また、二階用の枠部材Ｆ１０ｂの柱材１１の上端部も、同様に上方に飛び出させても良い。
【００７６】
また、枠部材Ｆ１０の幅寸を、上述の第１実施形態の複数倍の寸法にしても良い。図１２には、複数倍の一例として二倍及び三倍の場合を例示しているが、かかる複数倍の幅寸を有した枠部材Ｆ１０ｃ，Ｆ１０ｄの形成は、枠部材Ｆ１０の側方に、一本の柱材１１と、複数の梁材２１，２１…とを一組とする拡幅用部品Ｐ１０を、目標の幅寸になるまで連ねて設けることでなされる。例えば、二倍の場合には、枠部材Ｆ１０の側方に拡幅用部品Ｐ１０を一つ追設すれば良く、三倍の場合には、枠部材Ｆ１０の側方に拡幅用部品Ｐ１０を二つ連ねて追設すれば良い。そして、この構成によれば、拡幅された枠部材Ｆ１０ｃ，Ｆ１０ｄの柱材１１の配置ピッチは、第１実施形態の枠部材Ｆ１０の柱材１１の配置ピッチと同じになるので、枠部材Ｆ１０ｃ，Ｆ１０ｄの剛性や強度を枠部材Ｆ１０と同じレベルに維持可能となる。ちなみに、図１２を参照してわかるように、かかる枠部材Ｆ１０ｃ，Ｆ１０ｄの外観は、梯子状というよりは格子状を呈するが、いずれの枠部材Ｆ１０ｃ，Ｆ１０ｄも、四角形の開口部ＯＰを有しているので、フィーレンデール形式の枠部材の一種である。
【００７７】
更に、構築すべき建物５が三階建てや四階建ての場合には、枠部材Ｆ１０，Ｆ１０ｃ，Ｆ１０ｄの柱材１１として、三階分や四階分の高さに相当する長さの一本ものの柱材１１を用いて、これにより、枠部材Ｆ１０，Ｆ１０ｃ，Ｆ１０ｄを建物５の三階分や四階分に相当するサイズに形成しても良い。
【００７８】
＝＝＝第２実施形態＝＝＝
図１３は、第２実施形態の建物５’の概略斜視図である。なお、この図１３でも、外壁材や屋根材等の建物５’の一部の構成を省略して示している。
【００７９】
前述の第１実施形態の建物５は二階建てであったが、この第２実施形態の建物５’は三階建てであり、この点で主に相違し、これ以外の点は概ね同じである。よって、以下の説明では、主に相違点について述べ、第１実施形態と同一の構成には同一の符号を付して、その説明については省略する。
【００８０】
この建物５’は、三階分の高さの外周架構１０’を有する。この外周架構１０’は、基本的には、第１実施形態に係る二階分の高さの外周架構１０の各枠部材Ｆ１０の上方に、それぞれ、更に一階分の高さの枠部材Ｆ１０ｂを積み重ねるとともに、これら積み重ねた複数の枠部材Ｆ１０ｂ，Ｆ１０ｂ…のうちで、建物外周方向に互いに隣り合う枠部材Ｆ１０ｂ，Ｆ１０ｂ同士を連結部材Ｊ１０ａ，Ｊ１０ｃ’で連結して形成される。
【００８１】
なお、ここで、積み重ねられるべき「一階分の高さの枠部材Ｆ１０ｂ」には、例えば、図１１を参照して既述した枠部材Ｆ１０ｂ、つまり柱材１１の下端部の梁材２１が省略された枠部材Ｆ１０ｂが使用される。また、これら枠部材Ｆ１０ｂ，Ｆ１０ｂ同士を連結する連結部材Ｊ１０ａ，Ｊ１０ｃ’については、建物５’の隅角部５ｃ’配置用として連結部材Ｊ１０ｃ’が用意され、また、建物５’の各辺配置用として連結部材Ｊ１０ａが用意されている。前者の隅角部５ｃ’配置用の連結部材Ｊ１０ｃ’としては、第１実施形態の連結部材Ｊ１０ｃを単に一階分の高さに変更したものが使用され、後者の各辺配置用の連結部材Ｊ１０ａとしては、第１実施形態と同様に梁材２１が使用される。
【００８２】
この外周架構１０’の内部空間ＳＰ１０’には、階毎に床部６０が設けられており、つまり二階の床部６０（２Ｆ）と三階の床部６０（３Ｆ）とが設けられている。各床部６０は、それぞれ床部６０の直下に架け渡された梁部材５０（図１３では不図示）に支持されている。なお、これら床部６０や梁部材５０の構造は、第１実施形態で述べたものと同じである。また、外周架構１０’の上部には不図示の屋根材が設けられ、更に、外周架構１０’の側部には不図示の外壁材や窓枠等が設けられている。
【００８３】
このような三階建ての建物５’は、次のようにして構築される。図１４Ａ乃至図１５Ｂは、この構築手順の説明用の模式図であり、何れの図も、左側に側面図を示し、右側には上面図を示している。
【００８４】
先ず、第１実施形態の場合と同じ手順で、地面Ｇの基礎３上に二階分の高さの外周架構１０を形成し、その内部空間ＳＰ１０に梁部材５０，５０…を横断して設置し、梁部材５０，５０…上に二階の床部６０（２Ｆ）を形成する。これにより、建物５’は、図１４Ａ（図４Ｂ）の状態にまで構築される。なお、場合によっては、この時点では二階の床部６０については形成せずに、梁部材５０の設置までに留めておいても良い。その場合、床部６０（２Ｆ）の形成作業は、三階の床部６０（３Ｆ）の形成と同タイミングで行っても良いし、或いは、最後、つまり三階分の高さの外周架構１０’の完成後に行っても良い。ちなみに、この時点において、この形成途中段階たる二階分の高さの外周架構１０に対して、少なくとも梁部材５０，５０…だけは設置しておく理由は、外周架構１０の倒壊防止である。
【００８５】
次に、図１４Ｂに示すように、この二階分の高さの外周架構１０の上端部に複数の梁部材５０，５０…を架け渡す（梁部材架け渡し工程）。これらの梁部材５０，５０…は、この後で形成される三階の床部６０を支持する床梁となる。そして、この梁部材５０の設置にあっては、二階の梁部材５０と同様に、梁部材５０の両端部が、外周架構１０の対応する各柱材１１，１１にピン接合され、これにより、各梁部材５０は、外周架構１０に両端支持された状態となる。なお、このピン接合の接合構造は、前述の第１実施形態の梁部材５０の場合と同様である。
【００８６】
そして、図１４Ｃに示すように、これら梁部材５０，５０…の上方に複数のデッキプレート６２，６２…を載置後、これらデッキプレート６２，６２…上に不図示のコンクリートを打設して建物５’の三階の床部６０（３Ｆ）を形成する。なお、前述したように、この時点で未だ二階の床部６０（２Ｆ）が未形成の場合には、このタイミングで、二階の床部６０（２Ｆ）と三階の床部６０（３Ｆ）の両者を形成しても良いし、或いは、二階の床部６０（２Ｆ）の形成作業を最後に後回しにしたのに倣って、この三階の床部６０（２Ｆ）の形成作業も最後に行うことにして、ここでは行わないようにしても良い。
【００８７】
そうしたら、図１５Ａに示すように、二階分の高さの外周架構１０の各枠部材Ｆ１０の上方に、それぞれ、一階分の高さの枠部材Ｆ１０ｂを積み重ねる（枠部材積み重ね工程）。このとき、外周架構１０の各枠部材Ｆ１０の柱材１１の上端の小口面に、積み重ねられるべき一階分の高さの枠部材Ｆ１０ｂの柱材１１の下端の小口面を突き合わせて剛接合する。そして、このような枠部材Ｆ１０ｂの積み重ね作業を、外周架構１０が具備する全ての枠部材Ｆ１０に対して行い、これにより、外周架構１０の上方には、一階分の高さの枠部材Ｆ１０ｂ，Ｆ１０ｂ…が、建物外周方向に間欠的に配置された状態になる。
【００８８】
そうしたら、図１５Ｂに示すように、建物外周方向に隣り合う枠部材Ｆ１０ｂ，Ｆ１０ｂ同士を、連結部材Ｊ１０ａ，Ｊ１０ｃ’によって順次連結し（枠部材連結工程）、これにより、三階分の高さの環状の外周架構１０’が完成する。
【００８９】
そして最後に、外周架構１０’の上部を不図示の屋根材で覆い、また、外周架構１０’の側部に不図示の適宜外壁材や窓枠等を設置して、以上をもって建物５’が完成する。なお、この時点において未だ、二階や三階の床部６０（２Ｆ），６０（３Ｆ）を形成していない場合には、このときにこれら床部６０（２Ｆ），６０（３Ｆ）の形成も行う。
【００９０】
ところで、上述の第２実施形態では、建物５’が３階建てであったが、建物５’の階数は、これより多くても良い。そして、その場合の構築方法の一例としては、途中階まで形成された外周架構１０’の上端部に対して、上述の「梁部材架け渡し工程」と「枠部材積み重ね工程」と「枠部材連結工程」とを、外周架構１０’が目標階の高さになるまで繰り返し行うことが挙げられる。なお、その際、積み重ねるべき枠部材Ｆ１０ｂとしては、何等上述の「一階分の高さの枠部材Ｆ１０ｂ」に限るものではなく、二階分の高さの枠部材Ｆ１０や、三階分の高さの枠部材等を適宜用いても良く、つまり枠部材のサイズは、その施工状況に応じて随時選択して構わない。
【００９１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得ると共に、本発明にはその等価物が含まれるのはいうまでもない。例えば、以下に示すような変形が可能である。
【００９２】
上述の実施形態では、枠部材Ｆ１０，Ｆ１０同士を梁材２１等の連結部材Ｊ１０によって連結していたが、場合によっては、連結部材Ｊ１０を使用しなくても良い。すなわち、図１６の外周架構１０’’の側面図に示すように、建物外周方向に互いに隣り合う枠部材Ｆ１０，Ｆ１０同士の間に間隔を設けずに枠部材Ｆ１０，Ｆ１０同士を当接し、これら枠部材Ｆ１０，Ｆ１０同士を直接剛接合しても良い。そして、この構成によれば、連結部材Ｊ１０を省略できて外周架構１０’’の構成部品の種類を減らすことができる。但し、この構成の場合には、枠部材Ｆ１０の柱材１１と、その隣の枠部材Ｆ１０の柱材１１とが、間隔を空けずに二本隣接して並ぶことになるので、前述の実施形態よりも、外周架構１０’’の外周面のうちで開口部ＯＰが占める面積の割合が低くなってしまう。そのため、開放感のある建物５，５’を指向する場合には、前述の第１、第２実施形態のように、枠部材Ｆ１０，Ｆ１０同士を梁材２１等の連結部材Ｊ１０で連結する方が好ましい。
【００９３】
上述の実施形態では、各階のフロアを、幾つかの部屋に分割する間仕切り壁を例示していなかったが、何等これに限るものではなく、間仕切り壁を設けても良い。
【００９４】
上述の実施形態では、建物５，５’が二階建て以上の場合を例示したが、何等これに限るものではなく、一階建てたる平屋でも良い。そして、その場合には、図１１の枠部材Ｆ１０ａ又は枠部材Ｆ１０ｂが使用される。つまり、柱材１１の長さが、一階分の高さに相当する長さに設定された枠部材Ｆ１０ａ，Ｆ１０ｂが使用される。
【符号の説明】
【００９５】
３  基礎、５  建物、５ｃ  隅角部、
１０  外周架構、１０’  外周架構、１０’’  外周架構、
１１  柱材、１１ｆ  フランジ、１１ｆｓ  フランジ面、１１ｓｓ  小口面、
１１ｗ  ウエブ、１１ｗｓ  ウエブ面、
１５  ガセットプレート、１７  連結部材、
２１  梁材、２１ｃ  梁材、２１ｓｓ  小口面、２１ｕｓ  上面、２１ｄｓ  下面、
２１ｗ  ウエブ、２１ｗｓ  ウエブ面、
５０  梁部材、５０ｆ  フランジ、５０ｋ  切り欠き部、５０ｕｓ  上面、
５０ｗ  ウエブ、
６０  床部、６２  デッキプレート、
８０  制振部材、８５  鋼板耐震壁（耐震部材）、
ＯＰ  開口部、
Ｆ１０  鋼製枠部材、Ｆ１０ａ  鋼製枠部材、
Ｆ１０ｂ  鋼製枠部材、Ｆ１０ｃ  鋼製枠部材、
Ｊ１０  連結部材、Ｊ１０ａ  連結部材、Ｊ１０ｃ  連結部材、Ｊ１０ｃ’  連結部材、
Ｐ１０  拡幅用部品、
ＳＰ１０  内部空間、ＳＰ１０’  内部空間、
Ｇ  地面、
【図５】
0005957804.tif 000002
【図６】
0005957804.tif 000003
【図７】
0005957804.tif 000004
【図８】
0005957804.tif 000005
【図９】
0005957804.tif 000006
【図１０】
0005957804.tif 000007
【図１１】
0005957804.tif 000008
【図１２】
0005957804.tif 000009
【図１４】
0005957804.tif 000010
【図１５】
0005957804.tif 000011
【図１６】
0005957804.tif 000012
【図１】
0005957804.tif 000013
【図２】
0005957804.tif 000014
【図３】
0005957804.tif 000015
【図４】
0005957804.tif 000016
【図１３】
0005957804.tif 000017